(57)【要約】      （修正有）【課題】安全かつ利便性に富み、さらなる用途の拡大を図ることができる湯たんぽ袋を提供する。【解決手段】袋本体１０の内部に湯たんぽ１００の収容を許容する湯たんぽ袋１であって、袋本体１０における、収容した湯たんぽ１００の上面に対応する表面布１０ａに足の挿入を許容する足挿入ポケット２０を備え、袋本体１０のうち足挿入ポケット２０以外の部分を、遮熱性布帛で構成し、足挿入ポケット２０の内側となる表面布１０ａに、メッシュ部２２を備えた。【選択図】図１
0003141182.tif 000002
【実用新案登録請求の範囲】
【請求項１】
袋本体内部に湯たんぽの収容を許容する湯たんぽ袋であって、
収容した前記湯たんぽの上面に対応する前記袋本体の上面箇所に利用者の足の挿入を許容する足挿入ポケットを備えた
湯たんぽ袋。
【請求項２】
前記袋本体のうち前記足挿入ポケット以外の部分を、
遮熱性布体で構成した
請求項１に記載の湯たんぽ袋。
【請求項３】
前記挿入ポケットの内側となる前記袋本体の上面に、
伝熱手段を備えた
請求項１または２に記載の湯たんぽ袋。
【請求項４】
収容した前記湯たんぽの底面に対応する前記袋本体の底面箇所に、
防汚手段を備えた
請求項１、２又は３に記載の湯たんぽ袋。
【請求項５】
前記袋本体の底面と前記防汚手段との対向面に、
面ファスナを備えた
請求項１から請求項４のうちいずれかに記載の湯たんぽ袋。
【請求項６】
前記面ファスナを、
前記袋本体の底面側に備えた鉤状側ファスナ部材と、
前記防汚手段の対向面に備えた前記鉤状側ファスナ部材と係合するループ状側ファスナ部材で構成した
請求項５に記載の湯たんぽ袋。
【請求項７】
前記袋本体内部への前記湯たんぽの出し入れを許容する出し入れ開口に、
該出し入れ開口を、開閉自在、且つ閉じた状態を保持する閉口手段を備え、
該閉口手段を、樹脂製部材で構成した
請求項１から請求項６のうちいずれかに記載の湯たんぽ袋。
【請求項８】
収容する前記湯たんぽを立てた状態での運搬を許容する運搬手段を備えた
請求項１から請求項７のうちいずれかに記載の湯たんぽ袋。
【請求項９】
前記運搬手段での運搬状態において、
前記足挿入ポケットの挿入口が下向きとなるように配置した
請求項８に記載の湯たんぽ袋。
【請求項１０】
前記運搬手段での運搬状態において、
前記出し入れ開口が上向きとなるように配置した
請求項８または９に記載の湯たんぽ袋。
【考案の詳細な説明】
【技術分野】
【０００１】
この考案は、袋本体内部に湯たんぽの収容を許容する湯たんぽ袋に関する。
【背景技術】
【０００２】
従来から、内部に熱湯等を注入して温熱効果を得る湯たんぽを内部に収容する湯たんぽ袋について様々なものが提案されている。例えば、略楕円状の布体を、周縁部に設けたファスナで係着して袋状を構成するものがある（特許文献１参照）。
【０００３】
利用者は、この特許文献１における湯たんぽ袋に熱湯を注入した湯たんぽを収容し、例えば、寝具の中に持ち込むことで、寝具内を安全に温めることができる。
【特許文献１】実用新案登録第３０７４８１６号公報
【考案の開示】
【考案が解決しようとする課題】
【０００４】
このように、これまでの湯たんぽ袋は、熱湯が注入された湯たんぽに直接触れずに安全に温めることのみを主目的としており、その使用用途について、広がることはなかった。そこで、本考案は、安全かつ利便性に富み、さらなる用途の拡大を図ることできる湯たんぽ袋の提供を目的とする。
【課題を解決するための手段】
【０００５】
この考案は、袋本体内部に湯たんぽの収容を許容する湯たんぽ袋であって、収容した前記湯たんぽの上面に対応する前記袋本体の上面箇所に利用者の足の挿入を許容する足挿入ポケットを備えたことを特徴とする。
【０００６】
上記湯たんぽは、注入口から内部に熱湯等の加熱流動体を注入して温めたり、例えば氷等の冷温体を封入して冷やしたりできる湯たんぽ、あるいは内部に封入した封入物質の発熱作用や蓄熱作用によって温めたり、冷やしたりできる化学的な湯たんぽであることを含む。
【０００７】
なお、本明細書において、理解を容易かつ明確にするため、加熱流動体を注入した湯たんぽによる温め効果について説明するが、湯たんぽに冷温体を封入した際の冷やし効果も同様に作用するものとする。
【０００８】
上記構成により、湯たんぽによって安全に温めることができるとともに、足挿入ポケット内に挿入した足をより積極的に温めることができる。詳しくは、湯たんぽから発せられる熱エネルギーを足挿入ポケット内に滞留させることができるため、積極的に足を温めることができる。したがって、例えば、頭寒足熱という温め効果の高い方法で体を温めることができる。なお、足挿入ポケットは、足以外例えば手等の挿入を排除するものではなく、手やその他の部位を挿入して温めてもよい。
【０００９】
この考案の態様として、前記袋本体のうち前記足挿入ポケット以外の部分を、
遮熱性布体で構成することができる。  
上記遮熱性布体は、断熱層を内部に備えた布体、内面に熱を反射する遮熱性層を形成した布体であり、遮熱性、断熱性及び保温性を有する布体であることを含む。
【００１０】
これにより、足挿入ポケット以外の部分から湯たんぽの熱エネルギーが無駄に放熱することを防止でき、足挿入ポケット内部に湯たんぽの熱エネルギーを集中することができる。したがって、より効率的に足挿入ポケット内部を温めることができる。
【００１１】
また、この考案の態様として、前記挿入ポケットの内側となる前記袋本体の上面に、伝熱手段を備えることができる。  
上記伝熱手段は、通気することで熱を伝達するメッシュ生地や、伝熱性能の高い布体で構成した伝熱手段であることを含む。
【００１２】
これにより、足挿入ポケット内に、湯たんぽの熱エネルギーを効率的に伝達することができる。したがって、より効率的に、足挿入ポケット内に温熱効果を作用させることができる。
【００１３】
また、この考案の態様として、収容した前記湯たんぽの底面に対応する前記袋本体の底面箇所に、防汚手段を備えることができる。  
上記防汚手段は、例えばキャンパス生地やサテン生地等の汚れの付着しにくい布体や、汚れの付着を防止するコーティングであることを含む。
【００１４】
これにより、例えば、汚れが目立たず、埃がたまりやすい机の下などで湯たんぽを内部に収容した湯たんぽ袋を使用する場合であっても、底面に備えた防汚手段によって汚れが付着することを防止できる。したがって、清潔に湯たんぽ袋を使用することができ、利用者の満足度を向上することができる。
【００１５】
また、この考案の態様として、前記袋本体の底面と前記防汚手段との対向面に、
面ファスナを備えることができる。  
これにより、防汚手段を着脱自在に構成することができる。したがって、例えば長年の使用により、防汚手段の防汚効果が低下した場合であっても、簡便に交換することができる。
【００１６】
また、この考案の態様として、前記面ファスナを、前記袋本体の底面側に備えた鉤状側ファスナ部材と、前記防汚手段の対向面に備えた前記鉤状側ファスナ部材と係合するループ状側ファスナ部材で構成することができる。
【００１７】
これにより、前記防汚手段を取り外すことによって、湯たんぽ袋の前記底面箇所において鉤状側ファスナ部材が露出するため、例えば、フロアーカーペットが敷設された場所で湯たんぽを内部に収容した湯たんぽ袋を使用する場合、鉤状側ファスナ部材がフロアーカーペット表面に係着するため、湯たんぽ袋が不用意に移動することを防止できる。
【００１８】
また、この考案の態様として、前記袋本体内部への前記湯たんぽの出し入れを許容する出し入れ開口に、該出し入れ開口を、開閉自在、且つ閉じた状態を保持する閉口手段を備え、該閉口手段を、樹脂製部材で構成することができる。  
前記閉口手段は、ファスナ、スナップボタンあるいは面ファスナ等で構成することを含む。  
前記樹脂製部材は、金属製より伝熱性能の低い樹脂製部材であることを含む。
【００１９】
これにより、前記袋本体内部への前記湯たんぽの出し入れを容易に行うことができるとともに、袋本体内部に収容した前記湯たんぽが不用意に袋内部から出てしまうことを防止できる。
【００２０】
また、閉口手段を樹脂製部材で構成したため、金属製の閉口手段を備えた場合と比較して軽量に湯たんぽ袋を構成することができる。さらにまた、金属製部材より伝熱性能の低い樹脂製部材を用いた場合、内部の湯たんぽの熱エネルギーが閉口手段に伝達され、利用者に火傷等の危険性が及ぶことを防止できる。
【００２１】
また、この考案の態様として、収容する前記湯たんぽを立てた状態での運搬を許容する運搬手段を備えることができる。  
上記運搬手段は、袋本体に備えた持ち手紐や、肩から掛ける肩紐であることを含み、持ち手紐及び肩紐のいずれか一方、あるいは両方備えることを含む。
【００２２】
これにより、利用者は内部に熱湯を注入したて熱エネルギーの高い状態の湯たんぽを湯たんぽ袋に収容して安全に使用場所まで運搬することができ、利用者の利便性を向上することができる。
【００２３】
また、この考案の態様として、前記運搬手段での運搬状態において、前記足挿入ポケットの挿入口が下向きとなるように配置することができる。  
上記挿入口は、前記足挿入ポケットに足を挿入するための開口部分であることを含む。  
これにより、前記運搬手段での運搬状態において、前記足挿入ポケットに紛れ込んだゴミを落とすことができ、清潔に湯たんぽ袋を利用できる。
【００２４】
また、この考案の態様として、前記運搬手段での運搬状態において、前記出し入れ開口が上向きとなるように配置することができる。  
これにより、本体内部に湯たんぽを収納して運搬する際に、内部に収納した湯たんぽが落ちることがなく、安全に安心して運搬することができる。
【考案の効果】
【００２５】
本考案によって、安全かつ利便性に富み、さらなる用途の拡大を図ることできる湯たんぽ袋の提供することができる。
【考案を実施するための最良の形態】
【００２６】
この考案の一実施形態を、以下図面を用いて説明する。  
湯たんぽ袋１の斜視図を示す図１と、湯たんぽ袋１の正面図を示す図２と、湯たんぽ袋１の背面図を示す図３と、樹脂ファスナ４１を開放し、取出口４０を開けた状態の湯たんぽ袋１の正面図を示す図４、足挿入ポケット２０に足２００を挿入した使用状態の湯たんぽ袋１の幅方向断面図による説明図を示す図５、同状態の湯たんぽ袋１の奥行き方向断面図を示す図６とともに、湯たんぽ袋１について説明する。
【００２７】
湯たんぽ袋１は、内部に湯たんぽ１００を収容できる正面視横長楕円形状の袋本体１０と、袋本体１０の上部中央に備えた２本の持手紐１１，１１と、端部が袋本体１０の側部に固定された肩紐１２とを備えている。さらには、袋本体１０の周縁部うち上半分を開口可能な取出口４０とし、該取出口４０には開閉自在な樹脂製の樹脂ファスナ４１を備えている。
【００２８】
なお、湯たんぽ１００は、上面と下面が曲面で構成された楕円形状であり、上面における奥行き方向（図２において上下方向）中央、且つ幅方向（図２において左右方向）端部付近に螺挿式のキャップ１０１ａを備えた注入口１０１を有している。
【００２９】
袋本体１０の正面（使用状態を示す図５においては上面）には足挿入ポケット２０を備え（図２参照）、袋本体１０の背中（使用状態を示す図５においては下面）には底当て布３０を備えている（図３参照）。なお、袋本体１０は、内部に備えた断熱層による遮熱性を有する遮熱性布帛で構成されている。
【００３０】
足挿入ポケット２０は、正面視左右側部と上部分のコの字状の３方向が袋本体１０の表面布１０ａ（使用状態を示す図５において袋本体１０の上側部分）に縫合されてドーム状に形成し、内部に足挿入空間２１を構成している。なお、足挿入空間２１にある表面布１０ａには、通気性を有する布体であるメッシュ部２２を備えている。これにより、湯たんぽ１００を収容する袋本体１０の内部と足挿入空間２１とが連通する構成である。
【００３１】
底当て布３０は、汚れが付きにくいキャンパス生地で構成され、底当て布３０と底面布１０ｂ（使用状態を示す図５において袋本体１０の下側部分）のそれぞれの対向面に備えた面ファスナ３１（３１ａ，３１ｂ）によって、着脱自在に構成されている。
【００３２】
面ファスナ３１は、鉤状側ファスナ３１ａと、鉤状側ファスナ部材３１ａと係合するループ状側ファスナ３１ｂとで構成され、底面布１０ｂに鉤状側ファスナ３１ａが取り付けられ、底当て布３０にループ状側ファスナ３１ｂが取り付けられている。
【００３３】
利用者は、このように構成した湯たんぽ袋１に熱湯１１０を注入口１０１から注入した湯たんぽ１００を収容し、足挿入ポケット２０が上側となるように載置し、足挿入ポケット２０に足２００を挿入して利用する。これにより、湯たんぽ１００の熱エネルギーによって利用者の足２００を温めることができる。
【００３４】
詳しくは、遮熱性布帛で構成された袋本体１０の内部に収容された湯たんぽ１００の熱エネルギーは、無駄に放熱することをなくメッシュ部２２を通過し、足挿入空間２１に放射される。足挿入空間２１に放射された湯たんぽ１００の熱エネルギーは足挿入空間２１で滞留するため、足挿入ポケット２０に挿入された足２００を効率的に温めることができる。
また、足２００は直接温められた湯たんぽ１００に直接触れることがないため、安全に温熱効果を得ることができる。  
なお、足挿入ポケット２０には足２００以外の手やその他の部位を挿入して温めてもよい。
【００３５】
また、袋本体１０の周縁部うち上半分を開口可能な取出口４０とし、該取出口４０には樹脂製の開閉自在な樹脂ファスナ４１を備えているため、取出口４０を用いて袋本体１０の内部へ湯たんぽ１００の出し入れを容易に行うことができるとともに、袋本体１０の内部に収容した湯たんぽ１００が不用意に袋内部から出ることがなく、湯たんぽ袋１を安心して使用することができる。
【００３６】
また、樹脂ファスナ４１を樹脂製部材で構成したため、金属製ファスナを備えた場合と比較して軽量な湯たんぽ袋１を構成することができる。さらには、湯たんぽ１００の熱エネルギーが樹脂ファスナ４１に伝達して、利用者に火傷等の危険性が及ぶことを防止している。
【００３７】
また、袋本体１０の底面布１０ｂに、キャンパス生地で形成した底当て布３０を備えているため、例えば、汚れが目立たず、埃がたまりやすい机の下などで湯たんぽ袋１を使用した場合であっても、汚れの付着しにくい底当て布３０を底面に備えているため、汚れが付着することを防止できる。
【００３８】
したがって、清潔に湯たんぽ袋１を使用することができる。また、底当て布３０を底面布１０ｂに面ファスナ３１で着脱自在に取り付けているため、例えば長年の使用により、底当て布３０が汚れたり、防汚効果が低下した場合であっても、簡便に交換することができる。
【００３９】
さらにまた、面ファスナ３１を構成する鉤状側ファスナ３１ａとループ状側ファスナ３１ｂのうち、鉤状側ファスナ３１ａを底面布１０ｂに装着しているため、底当て布３０を取り外すと、底面布１０ｂに鉤状側ファスナ３１ａが露出することとなる。
したがって、例えば、フロアーカーペットが敷設された場所で湯たんぽ袋１を使用する場合、鉤状側ファスナ３１ａがフロアーカーペット表面に係着するため、湯たんぽ袋１が不用意に移動することなく、安全かつ安心して使用することができる。
【００４０】
また、湯たんぽ袋１には袋本体１０の上部中央に備えた２本の持手紐１１，１１と、端部が袋本体１０の側部に固定された肩紐１２とを備えているため、図２及び図３に示すように、持手紐１１を握持したり、肩紐１２を肩に掛けて、内部に収容した湯たんぽ１００を立てた状態で運搬することできる。
したがって、内部に熱湯１１０を注入した熱エネルギーの高い状態の湯たんぽ１００を、袋本体１０に収容して使用場所まで安全に運ぶことができる。なお、本実施例において持手紐１１と肩紐１２の両方を備えた湯たんぽ袋１について説明しているが、持手紐１１及び肩紐１２のうちいずれか一方のみを備える構成であってもよい。
【００４１】
また、図２及び図３に示すように、持手紐１１や肩紐１２を用いて内部に収容した湯たんぽ１００を立てた状態で運搬した際に、足２００を挿入する開口部分が下向きとなるように足挿入ポケット２０を配置しているため、上記運搬状態において、足挿入ポケット２０に紛れ込んだゴミを落とすことができ、清潔に湯たんぽ袋１を利用できる。
【００４２】
また、図２及び図３に示すように、持手紐１１や肩紐１２を用いて内部に収容した湯たんぽ１００を立てた状態で運搬した際に、袋本体１０の取出口４０が上向きとなるように配置しているため、上記運搬状態において、内部に収納した湯たんぽ１００が落ちることがなく、安全に安心して運搬することができる。
【００４３】
なお、本実施例において、上面と下面が曲面で構成された楕円形状である湯たんぽ１００について説明したが、例えば、底面がフラットな湯たんぽを用いてもよい。
【００４４】
このような底面がフラットな湯たんぽを湯たんぽ袋１に収容した場合、湯たんぽ１００を収容した湯たんぽ袋１よりも底面のフラット部分によって使用状態が安定する。
【００４５】
また、上面における奥行き方向（図２において上下方向）中央、且つ幅方向（図２において左右方向）端部付近に螺挿式のキャップ１０１ａを備えた注入口１０１を有する湯たんぽ１００について説明したが、上面中央に大きな開口による注入口を備えた湯たんぽを用いてもよい。この場合、注入した熱湯１１０の熱エネルギーによる温め効果と同様に、大口径の注入口より氷を封入して冷温効果を得ることができる。
【００４６】
さらに、図７に示すように、メッシュ部２２に足裏を押圧する押圧凸部５０を備えてもよい。これにより、足挿入ポケット２０に足２００を挿入することで、足裏を押圧して竹踏み効果を得ることができる。なお、足挿入空間２１には湯たんぽ１００から発せられた熱エネルギーが滞留しているため、足２００を温めながら押圧凸部５０で足裏を押圧することができるため、それぞれの相乗効果によって、より効率的な竹踏み効果を得ることができる。
【００４７】
この考案の構成と、上述の実施形態との対応において、
この考案の袋本体の上面は、表面布１０ａに対応し、
以下同様に、
遮熱性布体は、遮熱性布帛に対応し、
伝熱手段は、メッシュ部２２に対応し、
防汚手段は、底当て布３０に対応し、
袋本体の底面は、底面布１０ｂに対応し、
鉤状側ファスナ部材は、鉤状側ファスナ３１ａに対応し、
ループ状側ファスナ部材は、ループ状側ファスナ３１ｂに対応し、
出し入れ開口は、取出口４０に対応し、
閉口手段は、樹脂ファスナ４１に対応し、
運搬手段は、持手紐１１或いは肩紐１２に対応するも
この考案は、上述の実施形態の構成のみに限定されるものではなく、多くの実施の形態を得ることができる。
【図面の簡単な説明】
【００４８】
【図１】湯たんぽ袋の斜視図。
【図２】湯たんぽ袋の正面図。
【図３】湯たんぽ袋の背面図。
【図４】樹脂ファスナを開放し、取出口を開けた状態の湯たんぽ袋の正面図。
【図５】使用状態の湯たんぽ袋の幅方向断面図による説明図。
【図６】使用状態の湯たんぽ袋の奥行き方向断面図。
【図７】別の実施形態の湯たんぽ袋の使用状態の奥行き方向断面図。
【符号の説明】
【００４９】
１…湯たんぽ袋
１０…袋本体
１０ａ…表面布
１０ｂ…底面布
１１…持手紐
１２…肩紐
２０…足挿入ポケット
２２…メッシュ部
３０…底当て布
３１…面ファスナ
３１ａ…鉤状側ファスナ
３１ｂ…ループ状側ファスナ
４０…取出口
４１…樹脂ファスナ
１００…湯たんぽ
２００…足
【図１】
0003141182.tif 000003
【図２】
0003141182.tif 000004
【図３】
0003141182.tif 000005
【図４】
0003141182.tif 000006
【図５】
0003141182.tif 000007
【図６】
0003141182.tif 000008
【図７】
0003141182.tif 000009